(57)【要約】【課題】装置内監視機能を有する光中継装置において、故障或いは障害箇所を具体的に特定しうる光中継装置の提供を目的とする。【解決手段】反射モニタ１２−１は、光合分波器５−１から取り出した入力監視信号の反射波のレベル（Ｐｗ１）を基準値と比較する。監視用光受信器６は、監視光信号を電気信号に変換し出力する（Ｐｗ２）。また、光ファイバ増幅器の後段側において、増幅後のデータ光信号のレベル（Ｐｄ）をパワーモニタにて検出する。コントローラ１０は、Ｐｄだけが適正値からずれた場合、異常の原因を光ファイバ増幅器と判断し、Ｐｄ及びＰｗ２の両方が適正値からずれた場合、伝送路に異常があると判断する。Ｐｄが適正でＰｗ２に適正値からずれている場合であって、Ｐｗ１が正常の場合には前段の監視用光送信器側に異常があると判断し、Ｐｗ１が所定値以上の場合には監視用光受信器６側の異常と判断する。【選択図】      図１
2005026899.tif 000002
【特許請求の範囲】
【請求項１】
波長多重されて伝送されてきた光データ信号と第１の光監視信号とを入力し、増幅された光データ信号と第２の光監視信号とを波長多重して送出する光中継装置であって、前記光データ信号と前記第１の光監視信号とを分離する光分波器と、励起光を出力する励起光源と、前記励起光をドープファイバに出力する第１の光合波器と、前記光データ信号と励起光とを入力し増幅された光データ信号を出力するドープファイバと、前記光分波器から出力された前記第１の光監視信号を受信し、第１の電気監視信号に変換する光受信器と、前記増幅された光データ信号と第２の光監視信号とを合波する第２の光監視信号とを合波する第２の合波器と、前記第２の光監視信号を前記第２の光合波器に出力する光送信器と、前記増幅された光データ信号から一部取り出した信号を第２の電気監視信号に変換するパワーモニタと、前記第１の電気監視信号と前記第２の電気監視信号の電力レベルに基づき伝送路又は当該装置内の異常部位を検出するコントローラと、を備える光中継装置において、
前記光分波器と前記光受信器の中間に設けられ前記第１の光監視信号の反射光を検出する反射モニタを備え、
前記コントローラは、前記反射モニタにおいて検出した反射量と前記第１の電気監視信号と前記第２の電気監視信号の電力レベルに基づき伝送路又は当該装置内の異常部位を検出することを特徴とする光中継装置。
【請求項２】
前記コントローラは、前記反射量が所定値を超えた場合に前記光受信器側に異常があると判断することを特徴とする請求項１記載の光中継装置。
【発明の詳細な説明】
【０００１】
【発明の属する技術分野】
本発明は、光ファイバ増幅器を用いた光中継装置に関し、特にその装置内監視の改良に関する。
【０００２】
【従来の技術】
近年、光ファイバ増幅器を含む光送信装置と、光ファイバ増幅器を含む光中継装置と、光ファイバ増幅器と、それらを接続する光伝送路を監視し、得られた監視情報光端局まで転送することが要求されている。
【０００３】
この要請に応えるために、例えば特許第３２３２６２５号に開示されているように、光送信装置、各光中継器及び伝送路に関する監視光信号を光受信装置にまで転送することが提案されている。この技術に開示された手法は、図２に示すように伝送路および該伝送路の後に接続された光受信装置の監視は、監視用光受信器にて分波した入力監視光信号のパワーＰｗを検出し、データ用光受信器は受信したデータ光信号のパワーＰｄを検出し、さらに、コントローラはＰｗおよびＰｄを観測すると同時に、Ｐｄの値だけが正常値からずれた場合には光受信装置内の光ファイバ増幅器が異常であると判断し、ＰｄとＰｗの両方が正常値からずれた場合には伝送路が異常であると判断して、警告信号を発生することにより実現できる。
【０００４】
【特許文献１】
特許第３２３２６２５号
【０００５】
【発明が解決しようとする課題】
しかしながら、従来技術では、コントローラで、Ｐｗの値だけが正常値からずれた場合には監視用光受信器あるいは前段の光中継装置の監視用光送信器（波長略λｐ）が異常であると判断するという動作となるため、監視用光受信器が異常であるのか、前段の光中継装置の監視用光送信器が異常であるのかの判断が出来ないという問題がある。
【０００６】
更には、光ファイバ増幅器と監視装置を接続している光ファイバケーブルの障害や未接続時にも、Ｐｗの値だけが正常値からずれたこととなるため、監視用光受信器あるいは前段の光中継装置の監視用光送信器が異常であると判断するという動作となるという問題もある。
【０００７】
本発明の主な目的は、上記問題を解決すること、すなわち、監視用光受信器が異常であるのか、前段の光中継装置の監視用光送信器が異常であるのかの判断が可能であり、また、装置内接続用に使用している光ファイバケーブルの障害や未接続時の監視が可能な光中継装置を提供することにある。
【０００８】
【課題を解決するための手段】
請求項１記載の発明によれば、波長多重されて伝送されてきた光データ信号と第１の光監視信号とを入力し、増幅された光データ信号と第２の光監視信号とを波長多重して送出する光中継装置であって、前記光データ信号と前記第１の光監視信号とを分離する光分波器と、励起光を出力する励起光源と、前記励起光をドープファイバに出力する第１の光合波器と、前記光データ信号と励起光とを入力し増幅された光データ信号を出力するドープファイバと、前記光分波器から出力された前記第１の光監視信号を受信し、第１の電気監視信号に変換する光受信器と、前記増幅された光データ信号と第２の光監視信号とを合波する第２の光監視信号とを合波する第２の合波器と、前記第２の光監視信号を前記第２の光合波器に出力する光送信器と、前記増幅された光データ信号から一部取り出した信号を第２の電気監視信号に変換するパワーモニタと、前記第１の電気監視信号と前記第２の電気監視信号の電力レベルに基づき伝送路又は当該装置内の異常部位を検出するコントローラと、を備える光中継装置において、前記光分波器と前記光受信器の中間に設けられ前記第１の光監視信号の反射光を検出する反射モニタを備え、前記コントローラは、前記反射モニタにおいて検出した反射量と前記第１の電気監視信号と前記第２の電気監視信号の電力レベルに基づき伝送路又は当該装置内の異常部位を検出することを特徴とする光中継装置を得ることができる。
【０００９】
請求項２記載の発明によれば、前記コントローラは、前記反射量が所定値を超えた場合に前記光受信器側に異常があると判断することを特徴とする請求項１記載の光中継装置を得ることができる。
【００１０】
【発明の実施の形態】
図１を参照すると、本発明の一実施の形態としての構成図が示されている。図１の光ファイバ増幅器部分は、波長多重されて伝送されてきた光データ信号と入力監視光信号を分波し、前記光データ信号と励起光源２−１の光出力信号を合波する光合分波器５−１と、前記光合分波器出力を増幅させるドープファイバと、励起光源２−２の光出力信号を合波し出力する光合分波器５−２と、前記増幅された光データ信号を出力するドープファイバ１−２を有し、本発明に従って、波長多重されて伝送されてきた光データ信号と入力監視光信号を分波した光合分波器５−１の出力を光アイソレータ４−４を通過させた後、監視する反射モニタ１２−１と、ドープファイバ１−２増幅された光信号出力の反射光を光アイソレータ４−３を通過させた後、監視する反射モニタ１２−３が設けられている。監視装置部分は、光合分波器５−１の出力を受信する監視用光受信器６に入力し、監視結果をコントローラ１０に通知する。監視用光送信器１１の監視用光出力信号は光アイソレータ４−５を通過させた後、光合分波器５−２に出力される。本発明に従って、監視用光送信器１１の監視用光出力信号は前記光アイソレータ４−５を通過後、反射光を監視する反射モニタ１２−２を有する。光ファイバ増幅器部内の光アイソレータ４−４と監視装置部の光アイソレータ４−５と光ファイバアンプ部の光合分波器５−２間の接続は光ファイバコードを用いている。光ファイバ増幅器部内の光アイソレータ４−３と監視装置部のパワースプリッタ７間の接続は光ファイバコードを用いている。光ファイバ増幅器部内の反射モニタ１２−１での反射量は電気信号で監視装置部のコントローラ１０に出力される。コントローラ１０では、反射モニタ１２−１の反射量をそれぞれ監視し、設定したしきい値を超えた場合に、それぞれの反射警報として出力する。
【００１１】
以下に、本実施の形態の動作につき説明する。図１を参照すると、本発明の一実施の形態としての構成図が示されている。図１の光ファイバ増幅器部分の、光合分波器５−１で波長多重されて伝送されてきた光データ信号と入力監視信号を分波し、また、前記光データ信号と励起光源２−１の光出力信号を合波する。
【００１２】
前記光合分波器出力をドープファイバ１−１で増幅させる。光合分波器５−２で、励起光源２−２の光出力信号を合波し出力する。ドープファイバ１−２で、前記増幅された光データ信号を出力する。
【００１３】
波長多重されて伝送されてきた光データ信号と入力監視光信号を分波した光合分波器５−１の出力を光アイソレータ４−４を通過させた後、反射モニタ１２−１で監視する。反射モニタ１２−１では、反射光のパワーを監視し、監視結果コントローラ１０へ電気信号で送出する。
【００１４】
反射モニタ１２−１の反射量が、コントローラ１０で設定したしきい値を超えた場合は、監視用光受信器６の異常監視、および光ファイバ増幅器と監視装置を接続している光ファイバケーブルの障害や未接続時に、反射量の増大を検出するという動作を実行し、監視用光受信器６が異常であるか、前段の光中継装置の監視用光送信器が異常であるかの判断を可能とする。
【００１５】
すなわち、反射モニタ１２−１は、光合分波器５−１から取り出した入力監視信号の反射のレベル（Ｐｗ１）を基準値と比較する。監視用光受信器６は、監視光信号を電気信号に変換する（Ｐｗ２）。また、光ファイバ増幅器の後段側において、増幅後データ光信号のレベル（Ｐｄ）をパワーモニタにて検出する。コントローラは、Ｐｄだけが適正値からずれた場合、異常の原因を光ファイバ増幅器と判断し、Ｐｄが適正でＰｗ２が適正値からずれている場合であって、Ｐｗ１が正常の場合には当該中継装置の前段に位置する光中継装置の監視用光送信器側に異常が発生したと判断し、Ｐｗ１が所定値以上の場合には監視用光受信器６の異常と判断する。
【００１６】
【発明の効果】
以上説明したように、本発明によれば、励起光を出力する励起光源と、光データ信号と第１の光監視信号とを分離する光分波器通過後の部分に前記第１の光監視信号の反射光を監視する第１の反射モニタを設ける基本構成に基づき、前段の光中継装置の監視用光送信器が異常であるかの判断を実現し、また、装置内接続用に使用している光ファイバケーブルの障害や未接続時の監視を実現できるという効果が提供される。
【図面の簡単な説明】
【図１】本発明の実施の形態にかかる光中継装置の装置内警報回路のブロック図である。
【図２】従来技術の光中継装置の装置内警報回路のブロック図である。
【符号の説明】
１−１、１−２  ドープファイバ
２−１、２−２
４−１、４−２，４−３，４−４，４−５  光アイソレータ
５−１，５−２  光合分波器
６  監視用光受信器
７  パワースプリッタ
８  光フィルタ
９  パワーモニタ
１０  コントローラ
１１  監視用光送信器
１２−１  反射モニタ
【図１】
2005026899.tif 000003
【図２】
2005026899.tif 000004